(57)【要約】      （修正有）【課題】装着中に使用者に対して不快感や、痛みを感じさせることなく、外部への音漏れの発生を抑制すると共に、長時間装着しても蒸れによる不快を感じさせることのない快適な装着感を有するヘッドホンを提供する。【解決手段】ヘッドホン１は、スピーカユニットを内蔵したヘッドホン本体２と、このヘッドホン本体の放音側に設けられ耳介に収納可能な耳挿入部３とを有する。耳挿入部は、その外周面に、起立すると拡径し傾倒すると縮径する複数本の細糸状部材１４からなる装着調整部４が、径方向に拡がって設けられている。この装着調整部は、細糸状部材が耳挿入部の外周に沿って一方向に傾倒する方向性を有していると望ましい。また、装着調整部は、スポンジ状のイヤーパッドで覆われていると望ましい。【選択図】図１
2009049841.tif 000002
【特許請求の範囲】
【請求項１】
スピーカユニットを内蔵したヘッドホン本体と、このヘッドホン本体の放音側に設けられ耳介に収納可能な耳挿入部とを有する耳挿入型のヘッドホンであって、
前記耳挿入部の外周面に、起立すると拡径し、傾倒すると縮径する、複数本の細糸状部材からなる装着調整部が設けられていることを特徴とするヘッドホン。
【請求項２】
前記装着調整部は、表面に複数本の細糸状部材が起立して植設されたシート部材を、前記耳挿入部の外周面に貼着したものである請求項１に記載のヘッドホン。
【請求項３】
前記装着調整部は、細糸状部材が耳挿入部の外周に沿って一方向に傾倒する方向性を有している請求項１又は２に記載のヘッドホン。
【請求項４】
前記装着調整部は、スポンジ状のイヤーパッドで覆われている請求項１乃至３のいずれか１項に記載のヘッドホン。
【発明の詳細な説明】
【技術分野】
【０００１】
本発明は、ヘッドホンに係るものであり、詳しくは、耳介の凹部に挿入して装着する耳挿入部を備えたイントラコンカ（Intraconcha）型、又は挿入（Insert）型と称されるヘッドホン（以下、「耳挿入型ヘッドホン」という。）において、装着中に使用者に対して不快感や、痛みを感じさせることなく、音漏れの発生を抑制するようにした耳部への取り付け構造に関する。
【背景技術】
【０００２】
耳挿入型ヘッドホンは、小型で携帯性に富むと共に、オーディオ機器や映像機器といった種々の音声出力装置から出力された再生音を、周囲の音環境にとらわれず、また、周囲の音環境に影響を及ぼすことなく個人的に楽しむことができるため、広く普及している。
【０００３】
ところが、使用者の耳介の大きさや形状大は各人異なることから、耳挿入型ヘッドホンの取り付け具合や、音漏れの程度が使用者によって異なっている。
たとえば、耳挿入型ヘッドホンにおける耳挿入部の寸法が、使用者の耳介の寸法より大きい場合には、窮屈であったり、耳に痛みを感じたりする。一方、耳挿入型ヘッドホンにおける耳挿入部の寸法が、使用者の耳介の寸法より小さい場合には、耳との密着性が緩んで容易に耳から脱落してしまう。このように、従来の耳挿入型ヘッドホンでは、装着感に満足がいかないことが多い。
【０００４】
また、音漏れの程度も同様に、耳挿入型ヘッドホンにおける耳挿入部の寸法が、使用者の耳介の寸法より大きい場合には、音漏れが少ない。一方、耳挿入型ヘッドホンにおける耳挿入部の寸法が、使用者の耳介の寸法より小さい場合には、音漏れが大きく、音質が低下してしまう。
【０００５】
また、耳挿入型ヘッドホンにおいては、耳挿入部にイヤーパッドを取り付けることが行なわれている。イヤーパッドとしては、音波が透過するスポンジが用いられており、スポンジの圧縮具合によって音響抵抗に個差が発生し、音漏れ具合が変化する。このイヤーパッドは、耳挿入型ヘッドホンにおける耳挿入部に取り付けることにより、各人がそれぞれの装着具合や、聞こえ具合に合わせて適宜調整できるようになっているとすれば好ましいことである。
【０００６】
しかしながらイヤーパッドは、使用者の耳介の大きさや形状に適合してフィットするものではない。そのため、使用しているうちにイヤーパッドが脱落してしまう虞がある。しかも、使用者の左右の耳介の大きさに差がある場合、一方がフィットしても他方がフィットしないことがある。
このように、全ての人の耳介にフィットする固定形状の耳挿入型ヘッドホンを作成することは非常に困難である。
【０００７】
また、近年耳介の大きさや形状に適合することができる構造を有するヘッドホンが種々提案されている（たとえば、特許文献１乃至４参照）。
しかしながら上記特許文献１乃至４に記載されたヘッドホンでは、耳介とヘッドホン外周面との密着性を面同士の当接で高めることにより、あらゆる人の耳介にフィットするものとしている。したがって、ヘッドホンを長時間装着していると、蒸れを生じてしまい不快感を覚える難点がある。
そして、現在までのところ、使用者の耳介の大きさや形状に適合させつつ、装着時の蒸れによる不快感を改善するようにしたヘッドホンは提案されていない。
【特許文献１】特開２００５−１３０２４７号公報
【特許文献２】特開２００３−２８４１７７号公報
【特許文献３】特開平８−３０７９８３号公報
【特許文献４】特開平８−９８２９０号公報
【発明の開示】
【発明が解決しようとする課題】
【０００８】
本発明は、上記事情に鑑みてなされたものであり、装着中に使用者に対して不快感や、痛みを感じさせることなく、外部への音漏れの発生を抑制すると共に、長時間装着しても蒸れによる不快を感じさせることのない快適な装着感を有するヘッドホンを提供することを目的とする。
【課題を解決するための手段】
【０００９】
本発明にかかるヘッドホンは、スピーカユニットを内蔵したヘッドホン本体と、このヘッドホン本体の放音側に設けられ耳介に収納可能な耳挿入部とを有する耳挿入型のヘッドホンであって、前記耳挿入部の外周面に、起立すると拡径し、傾倒すると縮径する、複数本の細糸状部材からなる装着調整部が設けられていることを特徴とする。
【発明の効果】
【００１０】
本発明のヘッドホンによれば、複数本の細糸状部材からなる装着調整部が、使用者の耳介の大きさや形状に合わせて、装着時に径方向に縮径し、あるいは拡径して、径が変化する。これによりヘッドホンを装着した際、耳介の形状に個人差があっても、装着調整部の径の変化が、ヘッドホンの耳挿入部の外周面と耳介との隙間を埋め、適度なフィット感を持ってヘッドホンを耳介に密着させることができる。ゆえに、ヘッドホン装着時の耳介への圧迫感や痛みの発生をなくすとともに、音漏れを防止し、再生音質の向上を図ることができる。しかも、装着調整部は、細糸状部材の先端が耳介と点当接することにより密着性を高めているので、ヘッドホンの装着時における通気性を妨げることも無い。
したがって、装着中に使用者に対して不快感や、痛みを感じさせることなく、外部への音漏れの発生を抑制すると共に、長時間装着しても蒸れによる不快を感じさせることのない快適な装着感を有するヘッドホンを提供することができる。
【発明を実施するための最良の形態】
【００１１】
以下、本発明にかかるヘッドホンの実施例を図面に基づいて詳細に説明する。
図１は、本発明にかかるヘッドホンの一例を示す正面図である。
図１に示すように、本実施形態のヘッドホン１は、ヘッドホン本体２と、耳挿入部３と、を備えている。
【００１２】
ヘッドホン本体２は、スピーカユニットを内蔵している。すなわち、ヘッドホン本体２は、スピーカユニットの背面側を覆うようにして設けられたハウジングであり、スピーカユニットを収納する凹部を有している。
また、スピーカユニットは、音声信号で駆動されることにより音声を放出する放音手段であり、振動板やボイスコイル、マグネットなどから構成されている。このスピーカユニットは、電気信号を振動板の振動により音波に変換し、たとえば音声としてこの音波を外部へ出力する。
【００１３】
耳挿入部３は、ヘッドホン本体２の放音側に設けられた部位であり、耳介に収納可能な大きさ及び形状をしている。この耳挿入部３の外周面には、装着調整部４が設けられている。なお、図中の符号５は放音孔を示す。
【００１４】
装着調整部４は、起立すると拡径し、傾倒すると縮径する、無数の細糸状部材（以下、「ビーム」と呼ぶ。）１４・・１４から構成され、ビーム１４が径方向に拡がるように設けられている。すなわち、装着調整部４は、全体的に拡径しつつ、径方向にクッション性を有する複数本のビーム１４で構成され、耳挿入部３の見かけ上の外径を拡張する。
【００１５】
ビーム１４は、耳挿入部３をその外周面に沿って回転させることにより、耳介と当設する外圧によって容易に部分的に径の大きさが変化し、あらゆる人の耳介に適応させることができる自由度を有している。
また、本実施の形態でいうビーム１４は、後で詳細に説明する静電植毛技術により形成することができ、予め接着剤を塗布した基材である耳挿入部３の外周面に植毛されたように起立状態で植設されている。このビーム１４としては、たとえば軟質合成樹脂等からなる短繊維弾性材料を挙げることができる。
【００１６】
また、装着調整部４は、直接耳挿入部３の外周面に複数のビーム１４・・１４が植設されたものの他、シート部材（不図示）の表面に複数のビーム１４・・１４が植設されたものを耳挿入部３の外周面に貼着したものとすると良い。
これにより、複数のビーム１４・・１４が植設されたシート部材を耳挿入部３の外周面に貼着することで、耳挿入部３の外周面に容易に装着調整部４を設けることができる。
【００１７】
ビーム１４は、耳挿入部３の外周に沿って一方向に傾倒する方向性を有して設けることが望ましい。図１に示す例では、ビーム１４の傾倒の方向性は、図１において時計回りの回転方向に対しては逆目、反時計回りの回転方向に対しては順目となっている。
したがって、このヘッドホン１を耳穴に装着するときは、ヘッドホン本体２を耳穴に挿入しながら図１において時計方向に回転させる。ビーム１４は揃って縮径するため、耳挿入部３の耳介への装着を一層簡単に行なうことができる。
【００１８】
次に、このような構成のヘッドホン１の耳介への装着方法について、図面に基づいてより詳細に説明する。
図２は、本発明にかかるヘッドホンの装着方法を説明する図であり、ヘッドホンの背面を示している。
まず、図２（ａ）に示すように、ビーム１４が拡径した状態のまま、耳挿入部３を耳介の入り口へあてがうようにヘッドホン１を配置する。このときのヘッドホン１の中心Ｏからビーム１４の先端部１４ａまでの長さをｒ１とする。
【００１９】
引き続き、図２（ｂ）に示すように、ヘッドホン本体２におけるヘッドホン装着操作部２ａを掴み、ヘッドホン本体２をビーム１４の傾倒方向とは逆方向（図２（ｂ）においては反時計回り）へ回転させながら、耳挿入部３を耳介の凹部内へ挿入する。これにより、ビーム１４に対して使用者の耳介からの外圧が加わることによって、ビーム１４が耳介の形状に沿うように変形し、縮径して、耳挿入部３の耳介への挿入が容易になる。このときのヘッドホン１の中心Ｏからビーム１４の先端部１４ａまでの長さはｒ２となり、ｒ１＞ｒ２に示す関係となっている。
【００２０】
そして、図２（ｃ）に示すように、ヘッドホン本体２を少し逆回転、すなわち、ビーム１４の傾倒方向へ回転させる。この回転方向は、傾倒していた各ビーム１４の先端が耳介の周壁面に引っ掛かる方向の回転であるため、各ビーム１４がやや起立状態となり、耳介との密着性が高まり、ヘッドホン１の脱落を防止することができる。
【００２１】
この時のビーム１４の状態について、図面に基づいて詳細に説明する。
図３は、本発明にかかるヘッドホンの装着時におけるビームの動きを模式的に示す部分拡大図である。
まず、図３（ａ）に示すように、ビーム１４は、耳挿入部３の外周に沿って一方向にやや傾倒する方向性を有し、拡径した状態となっている。
次に、図３（ｂ）に示すように、ヘッドホン本体２を回転させながら耳挿入部３を耳介へ挿入することで、ビーム１４は、使用者の耳介の周壁に当接して一層傾倒し、縮径した状態となる。
そして、図３（ｃ）に示すように、耳介に挿入したヘッドホン本体２を逆回転させることで、ビーム１４は、その先端部１４ａが耳介の周壁に引っ掛かって点接触する。これにより、耳介との密着性を高めつつ、通気性を確保することができる。
【００２２】
次に、本発明が特徴とする装着調整部の製造方法について説明する。
初めに、ヘッドホン本体２の耳挿入部３の外周面に接着剤を塗布しておく。
次いで、微粉末化された植毛素材を準備し、静電植毛装置によって静電植毛を行う。静電植毛装置は、植毛素材を高電圧かつ強電界域でのクーロン力を利用して、基材である上記耳挿入部３に向かって強制的に加速させながら接着剤内部まで打ち込む。飛散中の植毛素材は強制帯電させられているため、素材同士が反発し、等間隔に整列した無数のビーム１４・・１４が上記耳挿入部３の外周面に起立状態で貼着する。
そして、貼着されずに残留した余分なビーム１４を掃って除去した後、接着剤を乾燥、硬化させる。
その後、貼着されたビーム１４の表面に熱処理を施し、あるいはその表面をローラ等で押さえることにより、ビーム１４を耳挿入部３の外周に沿って一方向に傾倒させる。
【００２３】
また、装着調整部４は、スポンジ状のイヤーパッド６で覆うと良い。
図４は、装着調整部がイヤーパッドで覆われた状態のヘッドホンを示す正面図である。図４において、イヤーパッド６は、袋状に形成されたキャップ体からなるカバーであり、耳挿入部３を覆うように取り付けられている。イヤーパッド６の素材としては、例えば弾力性や伸縮性、感触性に富んでいるウレタンフォームなどの多泡性物質を挙げることができる。
【００２４】
このイヤーパッド６は、耳挿入部３に容易に装着し、また取り外すことができる。イヤーパッド６で耳挿入部３を被覆することで、耳介への装着感の向上や、外部への音漏れ防止等を図ることができる。
【００２５】
以上のように構成したヘッドホンは、装着中に使用者に対して不快感や、痛みを感じさせることなく、外部への音漏れの発生を抑制することができる。しかも、ヘッドホンを長時間装着しても蒸れによる不快を感じることのない、好ましい装着感を有する。
【００２６】
このヘッドホンに配されたスピーカユニットには、音源装置から音声信号を送信する電気コードがそれぞれ接続される。また、ヘッドホンには、イヤハンガーが装備されていても良い。
【００２７】
図面では、ビーム１４の構成を視認しやすいように、長さを極端に誇張して描いており、また、植毛の密度を極端に粗くして描いている。静電植毛によって形成されたビームは密集しており、静電植毛された部分の手触りはビロードのような感覚である。ヘッドホンを耳に装着したとき、密集したビームによって音漏れが低減されるとともに、空気の流通が遮断されるものではないから、耳の内部が蒸れることはない。
なお、上記実施の形態では、耳挿入型のヘッドホンを例に説明したが、本発明は、耳挿入型のヘッドホンだけに限らず、たとえば補聴器や耳栓など、耳の中に入れる耳挿入部を備えたもの全般に応用することができる。
【図面の簡単な説明】
【００２８】
【図１】本発明にかかるヘッドホンの実施例を示す正面図である。
【図２】本発明にかかるヘッドホンの装着方法を順に示す背面図である。
【図３】本発明にかかるヘッドホンの装着時における細糸状部材の動きを模式的に示す部分拡大図である。
【図４】本発明にかかるヘッドホンの装着調整部がイヤーパッドで覆われた状態を示す正面図である。
【符号の説明】
【００２９】
１    ヘッドホン
２    ヘッドホン本体
２ａ  ヘッドホン装着操作部
３    耳挿入部
４    装着調整部
５    放音孔
６    イヤーパッド
１４  細糸状部材（ビーム）
【図１】
2009049841.tif 000003
【図２】
2009049841.tif 000004
【図３】
2009049841.tif 000005
【図４】
2009049841.tif 000006